【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
使用中冷却需要を有する第１の熱システム及び前記第１の熱システムに結合されたヒートシンク接続システムを備え、前記ヒートシンク接続システムは、前記第１の熱システムを冷却するための複数のヒートシンクへの選択的接続を提供するように構成され、前記ヒートシンク接続システムは、作動流体を含有する第１のヒートシンクに結合されるように構成された第１の熱交換器システム及び第２のヒートシンクとして周囲空気に結合されるように構成された第２の熱交換器システムと、前記第１の熱システム、前記第１の熱交換器システム及び前記第２の熱交換器システムを相互接続する流体ループと、前記第１の熱交換器システム及び前記第２の熱交換器システムの順序を前記流体ループに沿って流れる流体フローの方向に関して選択的に変える少なくとも１つの機構と、前記少なくとも１つの機構を作動させるコントローラとを備える、熱エネルギーシステム。
【請求項２】
前記第１の熱交換器システムは前記第１のヒートシンクを構成する複数のボアホールに結合されるように構成され、任意選択で前記ボアホールは閉ループ地熱エネルギーシステムに含まれ、及び／又は前記第２の熱交換器システムは凝縮器、ガス冷却器又は周囲空気に結合された過冷却器である、請求項１記載の熱エネルギーシステム。
【請求項３】
前記第１のヒートシンクの温度を測定する第１の温度センサ及び前記第２のヒートシンクの温度を測定する第２の温度センサをさらに備え、任意選択で前記コントローラは、前記第１及び第２のヒートシンクの測定温度を制御パラメータとして用いることによって前記１つの機構を作動させるように構成され、さらに任意選択で前記コントローラは、前記第１及び第２のヒートシンクの測定温度の比較に少なくとも部分的に基づいて前記１つの機構を作動させるように構成されている、請求項１又は２に記載の熱エネルギーシステム。
【請求項４】
前記ヒートシンク接続システムは前記ヒートシンク間にほぼ無制限のフローを提供するように構成されている、請求項１から３のいずれか一項に記載の熱エネルギーシステム。
【請求項５】
前記第１の熱システムは蒸発−圧縮カルノーサイクルを利用する商業用又は工業用冷却システムを備え、任意選択で前記商業用又は工業用冷却システムは冷媒として二酸化炭素を用い、さらに任意選択で前記第２の熱交換器システムの下流側に第１の圧力調整弁をさらに備え、さらに任意選択で前記第２の熱交換器システムの下流側に前記圧力調整弁のバイパスをさらに備え、さらに任意選択で前記第１の熱交換器システムの下流側に圧力調整弁をさらに備える、請求項１から４のいずれか一項に記載の熱エネルギーシステム。
【請求項６】
前記少なくとも１つの機構は、前記流体ループに沿って流れる流体フローの方向において前記第１の熱交換器システム及び前記第２の熱交換器システムの順序を選択的に変えるように動作しうる複数の切り替え可能弁機構を備え、任意選択で前記コントローラは、前記複数の切り替え可能弁機構を同時に作動させるように構成されている、請求項１から５のいずれか一項に記載の熱エネルギーシステム。
【請求項７】
前記第１の熱交換器システムは複数の第１の熱交換器を備え、及び／又は前記第２の熱交換器システムは複数の第２の熱交換器を備える、請求項１から６のいずれか一項に記載の熱エネルギーシステム。
【請求項８】
前記ヒートシンク接続システムは、少なくとも１つの追加のヒートシンクに結合されるように構成された少なくとも１つの追加の熱交換器をさらに備える、請求項１から７のいずれか一項に記載の熱エネルギーシステム。
【請求項９】
第１の熱システムを備える熱エネルギーシステムを作動させる方法であって、該方法は、
（ａ）冷却需要を有する第１の熱システムを準備するステップと、
（ｂ）作動流体を含有する第１のヒートシンクに結合された第１の熱交換器システムを準備するステップと、
（ｃ）第２のヒートシンクとして周囲空気に結合される第２の熱交換器システムを準備するステップと、
（ｄ）前記第１の熱システム、前記第１の熱交換器システム及び前記第２の熱交換器システムを相互接続する流体ループに沿って流体を流して前記第１及び第２のヒートシンクへ同時に熱を放出させるステップと、
（ｅ）前記第１の熱交換器システム及び前記第２の熱交換器システムの順序を前記流体ループに沿って流れる流体フローの方向に関して選択的に変えるステップと、
を含む、方法。
【請求項１０】
ステップ（ｅ）は、前記第１及び第２の熱交換器システムを前記流体ループに接続する弁機構を選択的に切り替えることによって実行され、任意選択で、前記弁機構は、少なくとも３つのポートを有する二方弁である、請求項９記載の方法。
【請求項１１】
前記第１のヒートシンクの温度及び前記第２のヒートシンクの温度を測定するステップをさらに含み、ステップ（ｅ）において、前記第１及び第２のヒートシンクの測定温度を制御パラメータとして用いて前記流体ループの流体フローの方向における前記第１及び第２の熱交換器システムの順序を制御し、任意選択で、前記流体ループの流体フローの方向における前記第１及び第２の熱交換器システムの順序は前記第１及び第２のヒートシンクの測定温度の比較に少なくとも部分的に基づいて制御される、請求項９又は１０に記載の方法。
【請求項１２】
（ａ）前記第１の熱交換器システムは前記第１のヒートシンクを備える複数のボアホールに結合され、任意選択で前記ボアホールは閉ループ地熱エネルギーシステムに含まれ、及び／又は（ｂ）前記第２の熱交換器システムは凝縮器、ガス冷却器又は周囲空気に結合された過冷却器である、請求項９から１１のいずれか一項に記載の方法。
【請求項１３】
前記流体ループは前記第１の熱システムに結合された入力部及び出力部を有し、ステップ（ｅ）において、前記第１及び第２の熱交換器システムを前記熱システムに接続する切り替え可能な弁機構が、前記流体ループを、前記入力部から前記出力部へ前記ループに沿って流れる流体フローの方向において前記第１の熱交換器システムが前記第２の熱交換器システムの上流である第１の流体ループ構成と、前記前記入力部から前記出力部へ前記ループに沿って流れる流体フローの方向において前記第２の熱交換器システムが前記第１の熱交換器システムの上流である第２の流体ループ構成との間で切り替えるように同時に動作され、任意選択で（ａ）前記第１の流体ループ構成において、前記第１の熱交換器システムが前記流体の主冷却及び凝縮を与え、前記第２の熱交換器システムが前記流体の過冷却を与えるように構成され、及び／又は（ｂ）前記第１の流体ループ構成は、前記第２のヒートシンクとしての周囲空気の測定温度が前記第１のヒートシンクの前記作動流体の測定温度に関して特定の閾値より低いときに選択され、及び／又は（ｃ）前記第２の流体ループ構成において、前記第２の熱交換器システムが前記流体の主冷却及び凝縮を与え、前記第１の熱交換器システムが前記流体の過冷却を与えるように構成され、及び／又は（ｄ）前記第２の流体ループ構成は、前記第２のヒートシンクとしての周囲空気の測定温度が前記第１のヒートシンクの前記作動流体の測定温度に関して特定の閾値より高いときに選択される、請求項９から１２のいずれか一項に記載の方法。
【請求項１４】
前記第１の熱システムは蒸発−圧縮カルノーサイクル利用するとともに冷媒として二酸化炭素を使用する商業用又は工業用冷却システムを備え、任意選択でステップ（ｄ）において、前記二酸化炭素は、最初に前記第２の熱交換器システムを通過し、トランスクリティカル状態の下で前記第２のヒートシンクに熱を放出し、前記第２の熱交換器システムにおいて前記二酸化炭素を凝縮せず、さらに任意選択で（ｉ）ステップ（ｄ）の初期熱放出相中に一定の圧力を与えるように前記第２の熱交換器システムの下流側で前記二酸化炭素の圧力を調整するステップをさらに含み、及び／又は（ｉｉ）ステップ（ｄ）の第２の熱放出相中に一定の圧力を与えるように前記第１の熱交換器システムの下流側で前記二酸化炭素の圧力を調整するステップをさらに含む、請求項９から１３のいずれか一項に記載の方法。
【請求項１５】
前記第１の熱交換器システムは複数の第１の熱交換器を備え、及び／又は前記第２の熱交換器システムは複数の第２の熱交換器を備える、請求項９から１４のいずれか一項に記載の方法。